(57)【特許請求の範囲】
【請求項１】
一端部を封鎖し、他端部を開放する、底付きの略多角柱形状の箱本体と、
前記箱本体の他端部側に折り曲げ自在に連接される開閉蓋と、
前記開閉蓋と対向して前記箱本体部の他端部側に形成される蓋受け部と
を有し、
前記開閉蓋は、前記箱本体の一端部側に向かって湾曲する略円弧形状の折り線を介して前記箱本体の他端部側に連接する蓋本体と、前記略円弧形状の折り線にそれぞれ連絡する折り線を介して前記蓋本体の両側部に括れ部を介して連接する略耳形状の折返し部とを有し、
前記蓋受け部は、前記略円弧形状の折り線を介して折り曲げられる前記開閉蓋の前記略円弧形状の折り線と対向する外縁部を当接させる蓋当接面と、前記蓋当接面に折り曲げられる前記開閉蓋の略耳形状の折返し部の括れ部をそれぞれ前記蓋当接面の両側部に係止するために、前記蓋当接面の両側部に設けられる係止部とを有し、
前記開閉蓋を、前記略円弧形状の折り線を介して前記蓋受け部側へ折り曲げると、前記略円弧形状の折り線に沿って前記略耳形状の折返し部側をそれぞれ上向きに押し上げるように前記蓋本体が略円弧形状に反り曲がり、前記外縁部を前記蓋当接面に当接させるとともに、前記括れ部をそれぞれ前記蓋受け部の係止部に嵌入させる押圧力を発生させる
ことを特徴とする組立箱。
【請求項２】
請求項１記載の組立箱において、
前記蓋本体は、前記外縁部の長さが前記略円弧形状の折り線の長さより短く、
前記開閉蓋の蓋本体と略耳形状の折返し部とを連接する折り線は、前記箱本体を構成する壁面の長手方向の線分に対して相互に交わるように数度の角度で傾斜する
ことを特徴とする組立箱。
【発明の詳細な説明】
【技術分野】
【０００１】
本発明は、例えば、種々の商品を展示又は収納するための組立箱に関する。
【背景技術】
【０００２】
従来、例えば、文房具、化粧品、雑貨、お菓子類、各種食品などを展示又は収納する場合、紙製又は各種素材によって構成される箱が用いられている。
【０００３】
このような用途においては、内容物の出し入れが容易で、開閉蓋を容易に操作でき、かつ開閉蓋の封鎖が確実にできることが要望されている。
【０００４】
そこで、例えば、特許文献１，２には、持ち運びができるように、箱本体に取っ手を設け、その取っ手の両側を箱本体側から係止用の舌片に設けた係止穴に係止することによって取っ手が容易に開かないようにする技術が開示されている。
【先行技術文献】
【特許文献】
【０００５】
【特許文献１】実公平３−２６１０４号公報
【特許文献２】実開平６−２２２１３号公報
【発明の概要】
【発明が解決しようとする課題】
【０００６】
しかし、特許文献１，２に記載される容器では、箱本体から取っ手が突出し、しかもその取っ手の両端部側を箱本体から突出する係止部材で係止するため、取っ手を持って持ち運びをしなければならず、取り扱いが不便である。
【０００７】
また、容器の開閉機構が取っ手と係止用の舌片とによって構成される構造となっているため、容器の開閉が面倒である。
【０００８】
また、サンドイッチ、ハンバーグ、フライドポテトなどを袋状の容器に入れて販売することが知られているが、食べやすくするために、これらには蓋がなく、持ち運びなどの利便性が考慮されていない。
【０００９】
そこで、これらに蓋を設けたものも知られているが、この種の蓋は、一時的に袋の開口を塞ぐとか、塵埃を避ける程度のものであり、袋の開口を確実に塞ぎうるものではなかった。
【００１０】
本発明は斯かる従来の問題点を解決するために為されたもので、その目的は、箱本体の開口を開閉蓋が確実に開閉することが可能な組立箱を提供することにある。
【課題を解決するための手段】
【００１１】
請求項１に係る発明は、一端部を封鎖し、他端部を開放する、底付きの略多角柱形状の箱本体と、前記箱本体の他端部側に折り曲げ自在に連接される開閉蓋と、前記開閉蓋と対向して前記箱本体部の他端部側に形成される蓋受け部とを有し、前記開閉蓋は、前記箱本体の一端部側に向かって湾曲する略円弧形状の折り線を介して前記箱本体の他端部側に連接する蓋本体と、前記略円弧形状の折り線にそれぞれ連絡する折り線を介して前記蓋本体の両側部に括れ部を介して連接する略耳形状の折返し部とを有し、前記蓋受け部は、前記略円弧形状の折り線を介して折り曲げられる前記開閉蓋の前記略円弧形状の折り線と対向する外縁部を当接させる蓋当接面と、前記蓋当接面に折り曲げられる前記開閉蓋の略耳形状の折返し部の括れ部をそれぞれ前記蓋当接面の両側部に係止するために、前記蓋当接面の両側部に設けられる係止部とを有し、前記開閉蓋を、前記略円弧形状の折り線を介して前記蓋受け部側へ折り曲げると、前記略円弧形状の折り線に沿って前記略耳形状の折返し部側をそれぞれ上向きに押し上げるように前記蓋本体が略円弧形状に反り曲がり、前記外縁部を前記蓋当接面に当接させるとともに、前記括れ部をそれぞれ前記蓋受け部の係止部に嵌入させる押圧力を発生させることを特徴とする。
【００１２】
請求項に係る発明は、請求項１記載の組立箱において、前記蓋本体は、前記外縁部の長さが前記略円弧形状の折り線の長さより短く、前記開閉蓋の蓋本体と略耳形状の折返し部とを連接する折り線は、前記箱本体を構成する壁面の長手方向の線分に対して相互に交わるように数度の角度で傾斜することを特徴とする。
【発明の効果】
【００１３】
本発明によれば、箱本体の開口を開閉蓋が確実に開閉することが可能な組立箱を提供することができる。
【００１４】
また、本発明によれば、箱本体の開口を開閉蓋で封鎖する際に、開閉蓋の蓋本体が反り曲がることによって蓋本体がばね性を発現し、外縁部を蓋受け部の蓋当接面に当接させるとともに、両側の略耳形状の折返し部との間に設けた括れ部をそれぞれ蓋受け部の蓋当接面の括れ部に強固に嵌入させ、箱本体の開口を開閉蓋によって確実に封鎖することが可能となる。
【００１５】
また、本発明によれば、開閉蓋の両端部には折り線を介して略耳形状の折返し部が設けられているので、略耳形状の折返し部を折り線を介して底板側に折り曲げることによって，開閉蓋のより強固な抜け止めを構成することが可能となる。
【図面の簡単な説明】
【００１６】
【図１】本発明の一実施形態に係る組立箱の斜視図である。
【図２】本発明の一実施形態に係る組立箱の展開図である。
【図３】（ａ）〜（ｅ）は本発明の一実施形態に係る組立箱の組立手順を示す図である。
【図４】本発明の一実施形態に係る組立箱における開閉蓋と蓋受け部の係止部との係合状態を示す拡大図である。
【発明を実施するための形態】
【００１７】
以下、本発明を図面に示す実施形態に基づいて説明する。
【００１８】
図１は、本実施形態に係る組立箱１を示す。
【００１９】
本実施形態に係る組立箱１は、例えば、板紙を組み立てることによって構成され、一端部に物の出し入れをするための開口１８を有する底板３０付きの略六角柱形状の箱本体１０と、この箱本体１０の開口１８側に折り曲げ自在に連接される開閉蓋２０と、この開閉蓋２０と対向して箱本体１０の開口１８側に形成される蓋受け部４０とを有する。
【００２０】
図２は、組立箱１の展開図を示す。組立箱１を構成する板紙は、３つの壁面１１，１２，１３を有する箱本体１０と、箱本体１０の中央に位置する壁面１１の上端部に壁面１１の下端部側に向かって湾曲する略円弧形状の折り線１１ｃを介して連接する開閉蓋２０と、箱本体１０の３つの壁面１１，１２，１３の下端部に折り線１１ｆ，１１ｉ，１１ｊ，１２ａ，１３３，１３ｃ，１３ｄを介して連接する底板部材２１〜２６とを有する。底板部材２１〜２６は、組み立てることによって底板３０を形成する。
【００２１】
３つの壁面１１，１２，１３は、それぞれ折り線１１ａ，１１ｂを介して折り曲げられるようになっている。なお、壁面１３には糊付け片１４が形成されている。糊付け片１４は、組立時に壁面１２の裏面に糊付けされる。
【００２２】
開閉蓋２０は、箱本体１０の下端部側に向かって湾曲する略円弧形状の折り線１１ｃを介して箱本体１０の上端部側に連接し、両端部が壁面１１の長手方向の線分１１Ａに対して数度の角度βで内側に傾斜する折り線１５ａ，１５ｂを有する略楕円形状の蓋本体１５と、蓋本体１５の両端部の折り線１５ａ，１５ｂを介して連接される略耳形状の折返し部１６，１７とを有する。
【００２３】
壁面１１の上端部に形成される略円弧形状の折り線１１ｃの両端部１１ｃ１，１１ｃ２は、折り線１１ａ，１１ｂと接続する上端部１１ｄ，１ｌｅと接続している。上端部１１ｄ，１１ｅはそれぞれ壁面１２，１３の上端部１２ｂ，１３ｇに向かって下り勾配の斜面を形成している。
【００２４】
蓋本体１５は、壁面１１の長手方向の線分ｌｌＡと直交する線分１１Ｂに対して略円弧形状の折り線１ｌｃと対称形状を為す略円弧形状の外縁部１５ｃを有する。外縁部１５ｃの長さは、折り線１５ａ，１５ｂが壁面１１の長手方向の線分１１Ａに対して数度の角度βで内側に傾斜するため、略円弧形状の折り線１１ｃの長さより短く設定されている。
【００２５】
折り線１５ａ，１５ｂの壁面１１側の端部は、略円弧形状の折り線１１ｃの両端部１１ｃｌ，ｌｌｃ２から壁面１１の長手方向の線分１１Ａに対して数度の角度βで内側に傾斜して立ち上がる数ミリの付け根部１５ｄ，１５ｅに連なっている。
【００２６】
ここで、付け根部１５ｄ，１５ｅは、壁面１１から略耳形状の折返し部１６，１７を切り離すために設けられている。これによって、組立箱１の開口１８を封鎖する開閉蓋１５を保持するために、略耳形状の折返し部１６，１７の括れ部１６ａ，１７ａを壁面１２，１３に形成される係止用の括れ部１２ｃ，１３ｈに確実に係止させることができる。
【００２７】
略耳形状の折返し部１６，１７の括れ部１６ａ，１７ａは、折り線１５ａ，１５ｂと外縁部１５ｃの両端部１５ｃｌ，１５ｃ２との接合部に対し、略耳形状の折返し部１６，１７との境界部を形成している。
【００２８】
壁面１２の上端部１２ｂは、略Ｖ字型の括れ部１２ｃを有する係止用突片１２ｄに連な
っている。この係止用突片１２ｄは、組立時に開閉蓋２０の略耳形状の折返し部１６と外縁部１５ｃとで形成される略Ｖ字型の括れ部１６ａを係合させる。
【００２９】
壁面１３の上端部１３ｇは、略Ｖ字型の括れ部１３ｈを有する係止用突片１３ｉに連な
っている。この係止用突片１３ｉは、組立時に開閉蓋２０の略耳形状の折返し部１７と外縁部１５ｃとで形成される略Ｖ字型の括れ部１７ａを係合させる。
【００３０】
係止用突片１３ｉは、壁面１１の長手方向の線分１１Ａに対して係止用突片１２ｄと対称形を為している。係止用突片１３ｉの糊付け片１４側の端部１３ｊは、略円弧形状の突片１３ｋと連なり、略円弧形状の突片１３ｋの端部１３ｎは、突片１３ｍと連なって、蓋受け部４０の蓋当接面４１を構成している。ここで、蓋受け部４０の蓋当接面４１は、略円弧形状の突片１３ｋの両端部１３ｊ，１３ｍから左右対称になるように係止用突片１３ｉと突片１３ｍを連ねる山形の縁取りを形成している。また、糊付け片１４を壁面１２の裏面に糊付けすると、壁面１２の係止用突片１２ｄの裏面側に突片１３ｍが糊付けされるため、蓋受け部４０の蓋当接面４１は、突片１３ｋの左右に係止用突片１３ｉとこの係止用突片１３ｉと同形状に加工された係止用突片１２ｄを配することができる。
【００３１】
壁面１１の下端部の中央部に設けた折り線１１ｆには、略六角形状を為す底板部材２１が連接している。折り線ｌｌｆは、略六角形状を為す底板部材２１の一辺を兼ねている。そして、略六角形状を為す底板部材２１の一辺を兼ねる折り線１１ｆの両端部２ｌａ，２１ｂを起点として折り線１１ａ，１１ｂと平行にそれぞれ折り線１１ｄ，１１ｅを設けている。折り線１１ｄ，１１ｅは、折り線１１ｃの両端部２ｌａ，２１ｂ間の平面を残して壁面１１の壁面１２側及び壁面１３側を壁面１２側及び壁面１３側へそれぞれ折り曲げ易くするために設けられている。また、略六角形状を為す底板部材２１の折り線１１ｆと対向する辺の中央部には、略台形状の舌片２１ｃが突設されている。
【００３２】
壁面１１の下端部の壁面１２側に設けた折り線１１ｉには、折り線１１ｉ側が略三角形状を為す部材２２ａと、その壁面１２側の辺を兼ねる折り線２２ｂを介して連接する略台形状を為す部材２２ｃとから成る底板部材２２が連接している。
【００３３】
壁面１１の下端部の壁面１３側に設けた折り線１１ｊには、折り線１１ｊ側が略三角形状を為す部材２３ａと、その壁面１３側の辺を兼ねる折り線２３ｂを介して連接する略台形状を為す部材２３ｃとから成る底板部材２３が連接している。
【００３４】
壁面１３の下端部には、折り線１３ａとこれに連なる折り線１３ｃ、切り込み１３ｂ、折り線１３ｄが形成されている。
【００３５】
壁面１３の下端部の壁面１１側に設けた折り線１３ａには、略三角形状の底板部材２５が連接している。
【００３６】
壁面１３の下端部の折り線１３ａに連なる折り線１３ｃ、切り込み１３ｂ、折り線１３ｄには、折り線１３ｃ、切り込み１３ｂ、折り線１３ｄ側が略台形状を為す部材２６ａと、その上底側に折り線２６ｂを介して連接する略長方形状を為す部材２６ｃとから成る底板部材２６とが連接している。
【００３７】
底板部材２６の一辺を兼ねる折り線１３ｃとの端部２６ｄ及び折り線１３ｄとの端部２６ｅをそれぞれ起点として折り線１１ｂと平行に折り線１３ｅ，１３ｆを設けている。折り線１３ｅ，１３ｆは、端部２６ｄ，２６ｅ間の平面を残して壁面１３の壁面１１側及び壁面１２側を壁面１１側及び壁面１２側へそれぞれ折り曲げ易くするために設けられている。
【００３８】
次に、本実施形態に係る組立箱１の組立について説明する。
【００３９】
先ず、このように構成された板紙は、図３（ａ）（ｂ）（ｃ）に示すように、各折り線１１ａ，１１ｂ，１３ｆを介して３つの壁面１１，１２，１３及び糊付け片１４を起こし、糊付け片１４を壁面１２の裏側に糊付けして略六角柱状の筒体を形成する。
【００４０】
次に、折り線１ｌｆ，１１ｉ，１１ｊ，１２ａ，１３ａ，１３ｃ，１３ｄを介して底板部材２１〜２６を筒体の内側に起こし、底板部材２１〜２６をそれぞれ組み合わせ、底板部材２１の舌片２１ｃを切り込み１３ｂ内に差し込み、底板部材２６の部材２６ｃを底板部材２１に糊付けして底板３０を形成することによって組立箱１を構成する。
【００４１】
次に、図３（ｄ）（ｅ）及び図４に示すように、開閉蓋２０を略円弧形状の折り線１ｌｃに沿って開口１８側へ押し倒す。
【００４２】
これによって、略円弧形状の折り線１１ｃに沿って略耳形状の折返し部１６，１７側をそれぞれ上向きに押し上げるように蓋本体１５が略円弧形状に反り曲がり、外縁部１５ｃを蓋受け部４０の蓋当接面４１に当接させるとともに、略Ｖ字型の括れ部１６ａ，１７ａ
をそれぞれ蓋受け部４０の蓋当接面４１の係止用の略Ｖ字型の括れ部１２ｃ，１３ｈに嵌
入させる押圧力を発生させる。
【００４３】
そして、略耳形状の折返し部１６，１７を折り線１５ａ，１５ｂを介してそれぞれ側端部側が箱本体１０の底板３０側に向かって折り曲げることによって、略Ｖ字型の括れ部１
６ａ，１７ａと略Ｖ字型の括れ部１２ｃ，１３ｈとの嵌入がより強固となり、開閉蓋２０
を箱本体１０の開口１８を確実に塞ぐことができる。
【００４４】
また、箱本体１０は、底板３０側の近傍に設けた４つの折り線１１ｇ，１１ｈ，１３ｅ，１３ｆによって底板３０の形状に沿った略六角形状を為しているが、開口１８側では折り線１１ａ，１１ｂ以外の領域において３つの壁面１１，１２，１３を丸めた形状を為しているので、開閉蓋２０の閉鎖時に開閉蓋２０の反り曲がりに応じて縛りばめとして機能し開閉蓋２０に生じる押圧力に負荷する力を加えることが可能となる。
【００４５】
一方、図１及び図３（ｅ）に示す組立箱１の開閉蓋２０を開く場合には、例えば、底板３０側に折り曲げられている略耳形状の折返し部１６，１７を折り線１５ａ，１５ｂを介して押し上げた後、開閉蓋２０を折り線１ｌｃを介して起こすことによって、開口１８を開放することができる。
【００４６】
以上のように，本実施形態に係る組立箱１によれば、箱本体１０の開口１８を開閉蓋２０で封鎖する際に、開閉蓋２０の蓋本体１５が反り曲がることによって蓋本体１５がばね性を発現し、外縁部１５ｃを蓋受け部４０の蓋当接面４１に当接させるとともに、両側の略耳形状の折返し部１６，１７との間に設けた略Ｖ字型の括れ部１６ａ，１７ａをそれぞ
れ蓋受け部４０の蓋当接面４１の係止用の略Ｖ字型の括れ部１２ｃ，１３ｈに強固に嵌入
させ、箱本体１０の開口１８を開閉蓋２０によって確実に封鎖することが可能となる。
【００４７】
また、開閉蓋２０の両端部には折り線１５ａ，１５ｂを介して略耳形状の折返し部１６，１７が設けられているので、略耳形状の折返し部１６，１７を折り線１５ａ，１５ｂを介して底板３０側に折り曲げることによって、開閉蓋２０のより強固な抜け止めを構成することが可能となる。
【００４８】
また、本実施形態に係る組立箱１は、図３（ａ）に示すように、開閉蓋２０を壁面１１とほぼ面一の状態で折り畳んでおけるので、内容物を収納する展示場や店舗などに積み重ねて搬入することが可能となる。
【００４９】
そして、内容物を収納する段階で、図３（ｂ）及び図３（ｃ）に示すように組み立てて開口１８を開放した状態にすることができる。
【００５０】
なお、上記実施形態では、組立箱１を板紙で構成した場合について説明したが、本発明はこれに限らず、例えば、プラスチック、ＰＥＴ（ポリエチレンテレフタレート）、ＯＰＰ（２軸延伸ポリプロピレンフィルム）などで構成しても良い。
【００５１】
また、上記実施形態では、箱本体１０を略六角柱形状にした場合について説明したが，本発明はこれに限らず、略八角柱形状などの略多角柱形状としても良い。
【符号の説明】
【００５２】
１  組立箱
１０  箱本体
１１，１２，１３  壁面
１１ａ，１１ｂ，１１ｃ，１５ａ，１５ｂ  折り線
１２ｃ，１３ｈ，１６ａ，１７ａ  括れ部
１２ｄ，１３ｉ  係止用突片
１５  蓋本体
１５ｃ  外縁部
１６，１７  略耳形状の折返し部
１８  開口
２０  開閉蓋
３０  底板
４０  蓋受け部
４１  蓋当接部
【図１】
0005680911.tif 000002
【図２】
0005680911.tif 000003
【図３】
0005680911.tif 000004
【図４】
0005680911.tif 000005